(57)【要約】      （修正有）【課題】屋根の雪降ろしに際し、人力を使わないで、温水を循環方式で散水して、雪を溶解する装置を提供する。【解決手段】貯水タンク１の内部に水中ポンプ７及び分水器１６を取付け、タンク取付台５に設置する。タンク取付台５の内部には、加熱ラジエター９及び練炭、石油、ＰＬ、等の化石燃料用機器１０を取り付ける。送水ポンプ７を作動させて送水し、加熱ラジエター９を練炭、石油、ＰＬ、等の化石燃料機器１０に点火して温水を作り、送水用配管１２より屋根に設置した、二股の散水器１３に送り散水する。それを軒ドイ１４、タテドイ１５で受け取り分水器１６内、注排口２３及び注水口１８より貯水タンク１へ、規定量以外はフロート入水口１９より入水した水が、フロート用ゴムボール２０、水量調整器２１弁用ゴムボール２２が上昇して注排口２３を塞ぎ、排水タテドイ２４を通して外部に排水する。【選択図】図１
2013234555.tif 000002
【特許請求の範囲】
【請求項１】
貯水タンク（１）の内部に水中ポンプ（７）及び分水器（１６）を設置し、水中ポンプ（７）を作動させて、加熱ラジエター（９）へ送り、練炭、石油、ＰＬ，等の化石燃焼機器（１０）を点火して温水を作り、屋根の二股の散水器（１３）より散水する。軒ドイ（１４）タテドイ（１５）より分水器（１６）フロート一式（１７）を通して、貯水タンク（１）へ注水する。規定量に達した時は、フロート一式（１７）が、作動して余分な溶解水を、排水タテドイ（２４）にて外部に排出する。以上の構成よりなる循環装置である。
【発明の詳細な説明】
【技術分野】
【０００１】この発明は屋根の雪を散水して溶解し回収する循環装置の、散水式  富士の白雪に関するものである。【０００２】従来の屋根の雪降ろしは、人力でシヤベル等を使い、雪降ろしする作業である。
【発明の開示】
【発明が解決しようとする課題】
【０００３】これは次のような欠点があった。従来屋根の雪降ろしには、人力でシヤベル等を使い雪降ろしをしているが、老人や女性には大変な作業であり、不幸にして落下事故など多発して、非常に困ることが多かった。本発明は以上のような、欠点をなくすためになされたものである。【０００４】貯水タンク（１）の内部に水中ポンプ（７）及び分水器（１６）を取付け、タンク取付台（５）に設置する。タンク取付台（５）の内部には、加熱ラジエター（９）及び、練炭、石油、ＰＬ、等の化石燃料用機器（１０）を取付ける。送水ポンプ（７）を作動させて送水し、加熱ラジエター（９）を練炭、石油、ＰＬ、等の化石燃料機器（１０）に点火して温水を作り、送水用配管（１２）より屋根に設置した二股の散水器（１３）に送り散水する。それを軒ドイ（１４）、タテドイ（１５）で受取り分水器（１６）内の注排口（２３）及び注水口（１８）より貯水タンク（１）へ、規定量以外はフロート入水口（１９）より入水した水がフロート用ゴムボール（２０）、水量調整器（２１）、弁用ゴムボール（２２）が上昇して注排口（２３）を塞ぎ、排水タテドイ（２４）を通して外部に排水する、循環方式を設ける。本発明は以上の構成よりなる、散水式  富士の白雪である。
【発明の効果】
【０００５】温水を送水、散水、回収する循環方式の為、雪降ろしの労動や、家屋の倒壊、人身事故がなく冬場の生活が安心出来るし、又温水を散水する為に屋根瓦が温かくなり屋内の温度が上がり、暖房費の節約にもなる循環装置の散水式  富士の白雪である。
【発明を実施するための最良の形態】
【０００６】以下、本発明を実施するための最良の形態について説明する。貯水タンク（１）の内側に断熱材（２）、保温ヒーター（３）を内部貯水槽（４）に重巻きした貯水タンク（１）、その内部貯水槽（４）に、水中ポンプ（７）及び分水器（１６）を取付け、水を注水し、フロート一式（１７）の注水口（１８）まで水位を確保し、水中ポンプ（７）を通電作動して送水開始する。送水管（８）よりタンク取付台（５）の内部に、加熱ラジエター（９）へ送水し、練炭、石油、ＰＬ、等の化石燃料機器（１０）に点火して加熱ラジエタ（９）にて温水を作り、送水用配管（１２）を通して屋根の二股の散水器（１３）より開始、雪を溶解した散水を軒ドイ（１４）に、受止めタテドイ（１５）を通して、分水器（１６）内の注排口（２３）を通しフロート一式（１７）の注水口（１８）より内部貯水槽（４）に注水する、内部貯水槽が規定内に達した時は、フロート入水口（１９）より水が入り、フロート用ゴムボール（２０）、水量調整器（２１）及び、弁用ゴムボール（２２）上昇して、注排口（２３）を塞ぎ余分な溶解水を排水タテドイ（２４）にて外へ排出する循環装置を用いた散水式  富士の白雪。この装置を作動させて、雪降ろしの苦労又は付きもの不幸な事故がなく、又暖房費も経済的の為、安心して毎日の生活を送る事が出来る装置である。
【図面の簡単な説明】
【０００７】
【図１】散水式  富士の白雪の全体図である。
【図２】貯水タンク（１）の内側に断熱材（２）、保温ヒーター（３）を内部貯水槽（４）に、重ね巻した貯水タンク（１）である。
【図３】取付台（５）に保温カバー（６）を張り、水中ポンプ（７）より送水管（８）に加熱ラジエター（９）を取付、練炭、石油、ＰＬ、等の化石燃料機器（１０）に点火して、温水を送水配管（１２）にて送水、取付台内部の排ガスを、排気煙突（１１）より排出する、タンク取付台穴（Ａ）は、練炭、石油、ＰＬ、等の化石燃料機器に点火した時の熱がタンクを加熱する為の穴（Ａ）である。
【図４】二股のパイプに散水用の穴を空け、送水配管（１２）より温水を受け、散水する二股の散水器である、取付金具（Ｂ）は、散水時の水圧予防取付金具（Ｂ）である。
【図５】散水をタテドイ（１５）より分水器（１６）内の、注排口（２３）及び、タンク注水口（１８）にて、内部貯水タンク（４）に注水する。タンク内（４）の水が規定内に達したときは、フォロート入水口（１９）より入り、ゴムボールフロート（２０）、水量調整器（飲料用空のペツトポトル）（２１）及び、弁用ゴムボール（２２）上昇して、注排口（２３）を塞ぎ、余分な散水を排水タテドイ（２４）にて外え排出する分水器である。水量調整器（飲料用の空のペツトポトル）（２１）に同種類のペツトポトルの底辺を切断してキヤップ（Ｃ）、接着部（Ｄ）とする分水器である。
【図６】水量調整器  飲料用空のペツトボトル（２１）に同種類のペツトボトルの底辺部分を切断してキヤップ（Ｃ）としペットボトル（２１）接着箇所（Ｄ）とした水量調整器である。
【図７】貯水タンク（１）内の水を加熱ラジエター（９）へ送水用配管（１２）にて送水する水中ポンプである。
【符号の説明】
【０００８】１    貯水タンク２    断熱材３    保温ヒーター４    内部貯水槽５    タンク取付台Ａ    タンク加熱穴６    保温カバー７    水中ポンプ８    送水用配管９    加熱ラジエター１０  練炭、石油、ＰＬ，等の化石燃料機器１１  排気煙突１２  送水用配管１３  二股の散水器Ｂ    取付金具１４  軒ドイ１５  タテドイ１６  分水器１７  フロート一式１８  注水口１９  フロート入水口２０  フロート用ゴムボール２１  水量調整器（飲料用の空のペツトボトル）Ｃ    ペツトボトルの下部を切断しキャプとするＤ    接着部２２  弁用ゴムボール２３  注排口２４  排水タテドイ
【図１】
2013234555.tif 000003
【図２】
2013234555.tif 000004
【図３】
2013234555.tif 000005
【図４】
2013234555.tif 000006
【図５】
2013234555.tif 000007
【図６】
2013234555.tif 000008
【図７】
2013234555.tif 000009